(57)【特許請求の範囲】
【請求項１】
アプリケーションプロセッサと、光学式指紋センサと、タッチ画面と、を備える、端末装置であって、前記タッチ画面が第１のエリアを含み、前記光学式指紋センサが前記第１のエリアの下に配置され、
前記アプリケーションプロセッサが、現在実行中のアプリケーションに対応するセキュリティレベルに基づいて第１の輝度を決定し、前記第１のエリアのための発光ユニットを、前記第１の輝度を有する光を放出するように制御する、ように構成され、  
前記光学式指紋センサは、前記第１の輝度を有する前記光が前記第１のエリアを照らした場合に指紋を取り込むように構成され、
前記第１のエリアがＮ個のサブエリアを含み、Ｎは１より大きい整数であり、前記アプリケーションプロセッサが、  
前記Ｎ個のサブエリアに含まれるＭ個のサブエリアのための発光ユニットを、前記第１の輝度を有する前記光を放出するように制御し、
指の水平投影が前記Ｍ個のサブエリア内に位置し、Ｍは正の整数であるようにさらに構成され、
前記アプリケーションプロセッサが、前記Ｎ個のサブエリアに含まれる前記Ｍ個のサブエリアのための前記発光ユニットを、前記第１の輝度を有する前記光を放出するように制御する場合に、前記Ｍ個のサブエリア以外の前記Ｎ個のサブエリアに含まれる他のサブエリアのための発光ユニットを停止するようにさらに構成される、端末装置。
【請求項２】
各アプリケーションが１つの第１の輝度に対応する、  
または  
各アプリケーションが１つのセキュリティレベルに対応し、各セキュリティレベルが１つの第１の輝度に対応し、アプリケーションｉのセキュリティレベルがアプリケーションｊのセキュリティレベルよりも高い場合、前記アプリケーションｉに対応する第１の輝度が、前記アプリケーションｊに対応する第１の輝度よりも高い、請求項１に記載の端末装置。
【請求項３】
前記現在実行中のアプリケーションが指紋支払いアプリケーションであり、前記タッチ画面上に現在表示されているインターフェースが支払いインターフェースであり、前記タッチ画面が第２のエリアをさらに含み、前記第１のエリアと前記第２のエリアとが重なり合わず、  
前記アプリケーションプロセッサが、前記第１のエリアのための前記発光ユニットを、前記第１の輝度を有する前記光を放出するように制御する場合に、前記第２のエリアのための発光ユニットを第２の輝度を有する光を放出するように制御し、前記第２の輝度が前記第１の輝度よりも低い、ようにさらに構成される、  
または  
前記アプリケーションプロセッサが、前記第１のエリアのための前記発光ユニットを、前記第１の輝度を有する前記光を放出するように制御する場合に、前記第２のエリアのための発光ユニットを停止するようにさらに構成される、請求項１または２に記載の端末装置。
【請求項４】
前記アプリケーションプロセッサが、前記指紋支払いアプリケーションが支払いを終了した場合に、前記第２のエリアのための前記発光ユニットおよび前記第１のエリアのための前記発光ユニットを、第３の輝度を有する光を放出するように制御するようにさらに構成される、  
または  
前記アプリケーションプロセッサが、前記指紋支払いアプリケーションが支払いを終了した場合に、前記第２のエリアのための前記発光ユニットおよび前記第１のエリアのための前記発光ユニットを、前記第３の輝度を有する光を放出するように制御するようにさらに構成される、請求項３に記載の端末装置。
【請求項５】
アプリケーションプロセッサと、光学式指紋センサと、タッチ画面と、を備える、端末装置であって、前記タッチ画面が第１のエリアを含み、前記光学式指紋センサが前記第１のエリアの下に配置され、
前記アプリケーションプロセッサが、現在実行中のアプリケーションに対応するセキュリティレベルに基づいて第１の輝度を決定し、前記第１のエリアのための発光ユニットを、前記第１の輝度を有する光を放出するように制御する、ように構成され、
前記光学式指紋センサは、前記第１の輝度を有する前記光が前記第１のエリアを照らした場合に指紋を取り込むように構成され、
前記第１のエリアがＮ個のサブエリアを含み、Ｎは１より大きい整数であり、前記アプリケーションプロセッサが、  
前記Ｎ個のサブエリアに含まれるＭ個のサブエリアのための発光ユニットを、前記第１の輝度を有する前記光を放出するように制御し、
指の水平投影が前記Ｍ個のサブエリア内に位置し、Ｍは正の整数であるようにさらに構成され、
前記アプリケーションプロセッサが、前記Ｎ個のサブエリアに含まれる前記Ｍ個のサブエリアのための前記発光ユニットを、前記第１の輝度を有する前記光を放出するように制御する場合に、前記Ｍ個のサブエリア以外の前記Ｎ個のサブエリアに含まれる他のサブエリアのための発光ユニットを、第４の輝度を有する光を放出するように制御し、前記第４の輝度が前記第１の輝度よりも低い、ようにさらに構成される、端末装置。
【請求項６】
アプリケーションプロセッサと、光学式指紋センサと、タッチ画面と、を備える、端末装置に適用可能な、指紋を取り込むための方法であって、前記タッチ画面が第１のエリアを含み、前記光学式指紋センサが前記第１のエリアの下に配置され、前記方法は、
現在実行中のアプリケーションに対応するセキュリティレベルに基づいて第１の輝度を決定するステップと、前記第１のエリアのための発光ユニットを、前記第１の輝度を有する光を放出するように制御するステップと、
前記第１の輝度を有する前記光が前記第１のエリアを照らした場合に前記指紋を取り込むステップと、
を含み、
前記第１のエリアがＮ個のサブエリアを含み、Ｎは１より大きい整数であり、前記第１のエリアのための前記発光ユニットを、前記第１の輝度を有する前記光を放出するように制御する、前記ステップは、  
前記Ｎ個のサブエリアに含まれるＭ個のサブエリアのための発光ユニットを、前記第１の輝度を有する前記光を放出するように制御するステップであって、指の水平投影が前記Ｍ個のサブエリア内に位置し、Ｍは正の整数であるステップと、
前記Ｎ個のサブエリアに含まれる前記Ｍ個のサブエリアのための前記発光ユニットを、前記第１の輝度を有する前記光を放出するように制御する場合に、前記Ｍ個のサブエリア以外の前記Ｎ個のサブエリアに含まれる他のサブエリアのための発光ユニットを停止するステップと、を含む、方法。
【請求項７】
各アプリケーションが１つの第１の輝度に対応する、  
または
各アプリケーションが１つのセキュリティレベルに対応し、各セキュリティレベルが１つの第１の輝度に対応し、アプリケーションｉのセキュリティレベルがアプリケーションｊのセキュリティレベルよりも高い場合、前記アプリケーションｉに対応する第１の輝度が、前記アプリケーションｊに対応する第１の輝度よりも高い、請求項６に記載の方法。
【請求項８】
前記現在実行中のアプリケーションが、指紋支払いアプリケーションであり、前記タッチ画面上に現在表示されているインターフェースが、支払いインターフェースであり、前記タッチ画面が第２のエリアをさらに含み、前記第１のエリアと前記第２のエリアとが重なり合わず、前記方法は、  
前記第１のエリアのための前記発光ユニットを、前記第１の輝度を有する前記光を放出するように制御する場合に、前記第２のエリアのための発光ユニットを、第２の輝度を有する光を放出するように制御するステップであって、前記第２の輝度が前記第１の輝度よりも低い、ステップ
をさらに含む、  
または  
前記方法は、  
前記第１のエリアのための前記発光ユニットを、前記第１の輝度を有する前記光を放出するように制御する場合に、前記第２のエリアのための発光ユニットを停止するステップ
をさらに含む、請求項６または７に記載の方法。
【請求項９】
前記指紋支払いアプリケーションが支払いを終了した場合に、前記第２のエリアのための前記発光ユニットおよび前記第１のエリアのための前記発光ユニットを、第３の輝度を有する光を放出するように制御するステップ、
または
前記指紋支払いアプリケーションが支払いを終了した場合に、前記第２のエリアのための前記発光ユニットおよび前記第１のエリアのための前記発光ユニットを、前記第３の輝度を有する光を放出するように制御するステップ
をさらに含む、請求項８に記載の方法。
【請求項１０】
アプリケーションプロセッサと、光学式指紋センサと、タッチ画面と、を備える、端末装置に適用可能な、指紋を取り込むための方法であって、前記タッチ画面が第１のエリアを含み、前記光学式指紋センサが前記第１のエリアの下に配置され、前記方法は、
現在実行中のアプリケーションに対応するセキュリティレベルに基づいて第１の輝度を決定するステップと、前記第１のエリアのための発光ユニットを、前記第１の輝度を有する光を放出するように制御するステップと、
前記第１の輝度を有する前記光が前記第１のエリアを照らした場合に前記指紋を取り込むステップと、を含み、
前記第１のエリアがＮ個のサブエリアを含み、Ｎは１より大きい整数であり、前記第１のエリアのための前記発光ユニットを、前記第１の輝度を有する前記光を放出するように制御する、前記ステップは、  
前記Ｎ個のサブエリアに含まれるＭ個のサブエリアのための発光ユニットを、前記第１の輝度を有する前記光を放出するように制御するステップであって、指の水平投影が前記Ｍ個のサブエリア内に位置し、Ｍは正の整数であるステップと、
前記Ｎ個のサブエリアに含まれる前記Ｍ個のサブエリアのための前記発光ユニットを、前記第１の輝度を有する前記光を放出するように制御する場合に、前記Ｍ個のサブエリア以外の前記Ｎ個のサブエリアに含まれる他のサブエリアのための発光ユニットを、第４の輝度を有する光を放出するように制御するステップであって、前記第４の輝度が前記第１の輝度よりも低い、ステップを含む、方法。
【請求項１１】
電気データを交換するためのコンピュータプログラムを記憶するコンピュータ可読記憶媒体であって、前記コンピュータプログラムが、請求項１から５のいずれか一項に記載の方法を端末装置に実行させ、前記端末装置が、アプリケーションプロセッサと、光学式指紋センサと、タッチ場面と、を備え、前記タッチ画面が第１のエリアを含み、前記光学式指紋センサが、前記第１のエリアの下に配置される、コンピュータ可読記憶媒体。
【発明の詳細な説明】
【技術分野】
【０００１】
本開示は、電子技術の分野に関し、より詳細には、指紋を取り込むための方法および関連製品に関する。
【背景技術】
【０００２】
指紋認識は、スマートフォンの標準的な構成になっている。指紋センサは、指紋を取り込むための重要なコンポーネントである。指紋センサは、光学式指紋センサ、静電容量センサ、超音波センサなどを含み得る。
【発明の概要】
【発明が解決しようとする課題】
【０００３】
光学式指紋センサによって取り込まれた指紋の鮮明度は、光の輝度に関連する。輝度が大きいほど鮮明度が高くなり、逆もまた同様である。現在、光はスマートフォンの画面から出ている。しかしながら、画面の輝度は、通常、変えられない。
【課題を解決するための手段】
【０００４】
端末装置が、アプリケーションプロセッサと、光学式指紋センサと、タッチ画面と、を備える。タッチ画面は、第１のエリアを含む。光学式指紋センサは、第１のエリアの下に配置される。アプリケーションプロセッサは、現在実行中のアプリケーションに基づいて第１の輝度を決定し、第１のエリアのための発光ユニットを、第１の輝度を有する光を放出するように制御する、ように構成される。光学式指紋センサは、第１の輝度を有する光が第１のエリアを照らした場合に指紋を取り込むように構成される。
【０００５】
少なくとも１つの実施形態では、各アプリケーションは、１つの第１の輝度に対応する。
【０００６】
少なくとも１つの実施形態では、各アプリケーションは、１つのセキュリティレベルに対応し、各セキュリティレベルは、１つの第１の輝度に対応する。アプリケーションｉのセキュリティレベルがアプリケーションｊのセキュリティレベルよりも高い場合、アプリケーションｉに対応する第１の輝度は、アプリケーションｊに対応する第１の輝度よりも高い。
【０００７】
少なくとも１つの実施形態では、現在実行中のアプリケーションは、指紋支払いアプリケーションである。タッチ画面上に現在表示されているインターフェースは、支払いインターフェースである。タッチ画面は、第２のエリアをさらに含む。第１のエリアと第２のエリアとは重なり合わない。アプリケーションプロセッサは、第１のエリアのための発光ユニットを、第１の輝度を有する光を放出するように制御する場合に、第２のエリアのための発光ユニットを、第２の輝度を有する光を放出するように制御するようにさらに構成される。第２の輝度は、第１の輝度よりも低い。
【０００８】
少なくとも１つの実施形態では、現在実行中のアプリケーションは、指紋支払いアプリケーションである。タッチ画面上に現在表示されているインターフェースは、支払いインターフェースである。タッチ画面は、第２のエリアをさらに含む。第１のエリアと第２のエリアとは重なり合わない。アプリケーションプロセッサは、第１のエリアのための発光ユニットを、第１の輝度を有する光を放出するように制御する場合に、第２のエリアのための発光ユニットを停止するようにさらに構成される。
【０００９】
少なくとも１つの実施形態では、アプリケーションプロセッサは、指紋支払いアプリケーションが支払いを終了した場合に、第２のエリアのための発光ユニットおよび第１のエリアのための発光ユニットを、第３の輝度を有する光を放出するように制御するようにさらに構成される。
【００１０】
少なくとも１つの実施形態では、第１のエリアはＮ個のサブエリアを含み、Ｎは１より大きい整数である。アプリケーションプロセッサは、Ｎ個のサブエリアに含まれるＭ個のサブエリアのための発光ユニットを、第１の輝度を有する光を放出するように制御するようにさらに構成される。指の水平投影がＭ個のサブエリア内に位置し、Ｍは正の整数である。
【００１１】
少なくとも１つの実施形態では、アプリケーションプロセッサは、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを停止するようにさらに構成される。
【００１２】
少なくとも１つの実施形態では、アプリケーションプロセッサは、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを、第４の輝度を有する光を放出するように制御するようにさらに構成される。第４の輝度は、第１の輝度よりも低い。
【００１３】
方法が、アプリケーションプロセッサと、光学式指紋センサと、タッチ画面と、を備える端末装置に適用可能である。タッチ画面は、第１のエリアを含む。光学式指紋センサは、第１のエリアの下に配置される。本方法は、現在実行中のアプリケーションに基づいて第１の輝度を決定し、第１のエリアのための発光ユニットを、第１の輝度を有する光を放出するように制御する、ステップと、第１の輝度を有する光が第１のエリアを照らした場合に指紋を取り込むステップと、を含む。
【００１４】
少なくとも１つの実施形態では、各アプリケーションは、１つの第１の輝度に対応する。
【００１５】
少なくとも１つの実施形態では、各アプリケーションは、１つのセキュリティレベルに対応し、各セキュリティレベルは、１つの第１の輝度に対応する。アプリケーションｉのセキュリティレベルがアプリケーションｊのセキュリティレベルよりも高い場合、アプリケーションｉに対応する第１の輝度は、アプリケーションｊに対応する第１の輝度よりも高い。
【００１６】
少なくとも１つの実施形態では、現在実行中のアプリケーションは、指紋支払いアプリケーションである。タッチ画面上に現在表示されているインターフェースは、支払いインターフェースである。タッチ画面は、第２のエリアをさらに含む。第１のエリアと第２のエリアとは重なり合わない。本方法は、第１のエリアのための発光ユニットを、第１の輝度を有する光を放出するように制御する場合に、第２のエリアのための発光ユニットを、第２の輝度を有する光を放出するように制御するステップをさらに含む。第２の輝度は、第１の輝度よりも低い。
【００１７】
少なくとも１つの実施形態では、現在実行中のアプリケーションは、指紋支払いアプリケーションである。タッチ画面上に現在表示されているインターフェースは、支払いインターフェースである。タッチ画面は、第２のエリアをさらに含む。第１のエリアと第２のエリアとは重なり合わない。本方法は、第１のエリアのための発光ユニットを、第１の輝度を有する光を放出するように制御する場合に、第２のエリアのための発光ユニットを停止するステップをさらに含む。
【００１８】
少なくとも１つの実施形態では、本方法は、指紋支払いアプリケーションが支払いを終了した場合に、第２のエリアのための発光ユニットおよび第１のエリアのための発光ユニットを、第３の輝度を有する光を放出するように制御するステップをさらに含む。
【００１９】
少なくとも１つの実施形態では、第１のエリアはＮ個のサブエリアを含み、Ｎは１より大きい整数である。第１のエリアのための発光ユニットを、第１の輝度を有する光を放出するように制御するステップが、Ｎ個のサブエリアに含まれるＭ個のサブエリアのための発光ユニットを、第１の輝度を有する光を放出するように制御するステップを含む。指の水平投影がＭ個のサブエリア内に位置し、Ｍは正の整数である。
【００２０】
少なくとも１つの実施形態では、本方法は、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを停止するステップをさらに含む。
【００２１】
少なくとも１つの実施形態では、本方法は、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを、第４の輝度を有する光を放出するように制御するステップをさらに含む。第４の輝度は、第１の輝度よりも低い。
【００２２】
コンピュータ可読記憶媒体が、電気データを交換するためのコンピュータプログラムを記憶するように構成される。コンピュータプログラムは、上記の方法の一部または全部を端末装置に実行させる。
【００２３】
本開示の上記または他の態様は、以下の実施形態の説明においてより容易に理解できるはずである。
【００２４】
本開示および関連技術の実施形態における技術的解決策をより明確に説明するために、本開示および関連技術の実施形態において必要とされる添付の図面について説明する。
【図面の簡単な説明】
【００２５】
【図１】本開示の実施形態において提供される端末装置を示す概略図である。
【図２】本開示の実施形態において提供されるインターフェースを示す概略図である。
【図３】本開示の実施形態において提供される別のインターフェースを示す概略図である。
【図４】本開示の実施形態において提供される第１のエリアを示す概略図である。
【図５】本開示の実施形態において提供される、指紋を取り込むための方法を示すフローチャートである。
【図６】本開示の実施形態において提供される別の端末装置を示すブロック図である。
【図７】本開示の実施形態において提供されるさらに別の端末装置を示すブロック図である。
【図８】本開示の実施形態において提供されるまた別の端末装置を示すブロック図である。
【発明を実施するための形態】
【００２６】
当業者が本開示の解決策をより良く理解できるようにするために、本開示の実施形態における添付の図面を参照しながら本開示の実施形態における技術的解決策を明確かつ完全に説明する。当然のことながら、本明細書で説明される実施形態は、すべての実施形態ではなく、本開示の一部の実施形態にすぎない。本発明の実施形態に基づいて当業者によって発明の労なしに得られる他のすべての実施形態は、本開示の保護範囲内にあるものとする。
【００２７】
以下、本開示の実施形態について詳細に説明する。
【００２８】
本開示は、端末装置に関する。端末装置は、アプリケーションプロセッサと、光学式指紋センサと、タッチ画面と、を備える。タッチ画面は、第１のエリアを含む。光学式指紋センサは、第１のエリアの下に配置される。アプリケーションプロセッサは、現在実行中のアプリケーションに基づいて第１の輝度を決定し、第１のエリアのための発光ユニットを、第１の輝度を有する光を放出するように制御する、ように構成される。光学式指紋センサは、第１の輝度を有する光が第１のエリアを照らした場合に指紋を取り込むように構成される。
【００２９】
本開示は、指紋を取り込むための方法に関する。本方法は、端末装置に適用可能である。端末装置は、アプリケーションプロセッサと、光学式指紋センサと、タッチ画面と、を備える。タッチ画面は、第１のエリアを含む。光学式指紋センサは、第１のエリアの下に配置される。本方法は、現在実行中のアプリケーションに基づいて第１の輝度を決定するステップと、第１のエリアのための発光ユニットを、第１の輝度を有する光を放出するように制御するステップと、第１の輝度を有する光が第１のエリアを照らした場合に指紋を取り込むステップと、を含む。
【００３０】
本開示は、指紋を取り込むための装置に関する。指紋を取り込むための装置は、端末装置に適用可能である。端末装置は、アプリケーションプロセッサと、光学式指紋センサと、タッチ画面と、を備える。タッチ画面は、第１のエリアを含む。光学式指紋センサは、第１のエリアの下に配置される。指紋を取り込むための装置は、処理モジュールと、取り込みモジュールと、を備える。処理モジュールは、現在実行中のアプリケーションに基づいて第１の輝度を決定し、第１のエリアのための発光ユニットを、第１の輝度を有する光を放出するように制御する、ように構成される。取り込みモジュールは、第１の輝度を有する光が第１のエリアを照らした場合に指紋を取り込むように構成される。
【００３１】
本開示は、別の端末装置に関する。端末装置は、アプリケーションプロセッサと、光学式指紋センサと、タッチ画面と、メモリと、１つ以上のプログラムと、を備える。１つ以上のプログラムはメモリに記憶され、アプリケーションプロセッサによって実行される。１つ以上のプログラムは、上記の方法を実行するための命令を含む。
【００３２】
本開示は、電気データを交換するためのコンピュータプログラムを記憶する、非一時的コンピュータ可読記憶媒体に関する。コンピュータプログラムは、上記の方法を端末装置に実行させる。端末装置は、アプリケーションプロセッサと、光学式指紋センサと、タッチ画面と、を備える。タッチ画面は、第１のエリアを含む。光学式指紋センサは、第１のエリアの下に配置される。
【００３３】
本開示の明細書、特許請求の範囲、および図面において、「第１」、「第２」、「第３」、および「第４」などの用語は、特定の順序を説明するためではなく、異なる対象を区別するために使用される。さらに、「含む（ｉｎｃｌｕｄｅ）」および「備える（ｃｏｍｐｒｉｓｅ）」などの用語、ならびにそれらの任意の変形は、非排他的な包含を含むことが意図されている。例えば、一連の動作またはユニットを含む、プロセス、方法、システム、製品、または装置は、列挙された動作またはユニットに限定されないが、列挙されていない動作またはユニットを代替的にさらに含んでもよいし、プロセス、方法、製品、または装置に固有の他の動作またはユニットを代替的にさらに含んでもよい。
【００３４】
本明細書において「実施形態」に言及することは、実施形態に関連して説明される特定の特徴、構造、または特性が、本開示の少なくとも１つの実施形態に含まれ得ることを意味する。本明細書の様々な箇所におけるこの句の出現は、必ずしも同じ実施形態を指すわけではなく、また別々のまたは任意の実施形態が他の実施形態を相互に排除するものでもない。当業者によって明示的および黙示的に理解され得るように、本明細書で説明された実施形態は他の実施形態と組み合わされてもよい。
【００３５】
ユーザ機器（ＵＥ）とも呼ばれる端末装置は、音声および／またはデータ接続をユーザに提供するための装置である。例えば、端末装置は、無線接続機能を有する携帯装置、無線接続機能を有する車載装置などである。一般的に使用される端末としては、例えば、携帯電話、タブレットコンピュータ、ラップトップコンピュータ、パームトップコンピュータ、モバイルインターネットデバイス（ＭＩＤ）、ウェアラブルデバイス（スマートウォッチ、スマートブレスレット、歩数計など）などが挙げられる。
【００３６】
本開示の実施形態について、本開示の実施形態の図面を参照しながら説明する。
【００３７】
図１は、本開示の実施形態において提供される端末装置１００を示す概略図である。端末装置１００は、アプリケーションプロセッサ（ＡＰ）１１０と、光学式指紋センサ１３０と、タッチ画面１２０と、を備える。タッチ画面１２０は、第１のエリアを含む。光学式指紋センサ１３０は、第１のエリアの下に配置される。
【００３８】
ＡＰ１１０は、現在実行中のアプリケーションに基づいて第１の輝度を決定し、第１のエリアのための発光ユニットを、第１の輝度を有する光を放出するように制御する、ように構成される。
【００３９】
光学式指紋センサ１３０は、第１の輝度を有する光が第１のエリアを照らした場合に指紋を取り込むように構成される。
【００４０】
一例では、タッチ画面１２０は、ＬＣＤ（液晶ディスプレイ）、ＯＬＥＤ（有機発光ダイオード）画面、およびＬＥＤ（発光ダイオード）画面のうちの１つである。
【００４１】
一例では、ＡＰ１１０は、現在実行中のアプリケーションによって送信された指紋取り込み命令が検出された場合に、現在実行中のアプリケーションに基づいて第１の輝度を決定し、第１のエリアのための発光ユニットを、第１の輝度を有する光を放出するように制御する、ように構成される。現在実行中のアプリケーションは、指紋ロック解除アプリケーション、指紋支払いアプリケーション、指紋記録アプリケーションなどであり得る。
【００４２】
一例では、第１のエリアの最大サイズは、タッチ画面のサイズと等しくてもよい。第１のエリアの最小サイズは、ユーザが指を入力できるように十分な面積で設定されてもよい。本開示において、第１のエリアのサイズは限定されない。
【００４３】
一例では、第１のエリアは、タッチ画面の左下隅またはタッチ画面の右下隅、またはタッチ画面の右上隅に配置されてもよく、このことは本開示において限定されない。
【００４４】
一例では、第１のエリアの形状は、円形、正方形、楕円形、菱形などであり得るが、このことは本開示において限定されない。
【００４５】
一例では、１つ以上の第１のエリアがあり、このことは本開示において限定されない。
【００４６】
各アプリケーションは、１つの第１の輝度に対応する。アプリケーションと第１の輝度との対応関係を表１に示す。表１に示すように、異なるアプリケーションは、同じ第１の輝度に対応する場合もあるし、異なる第１の輝度に対応する場合もある。
【００４７】
加えて、各アプリケーションに対応する第１の輝度は、ユーザによってカスタマイズされてもよい。あるいは、各アプリケーションに対応する第１の輝度は、アプリケーション特性に基づいてＡＰ１１０によって決定されてもよい。例えば、現在実行中のアプリケーションが、アプリケーション特性がロック解除である指紋ロック解除アプリケーションである場合、第１の輝度は輝度１である。また、例えば、現在実行中のアプリケーションが、アプリケーション特性が記録である指紋記録アプリケーションである場合、第１の輝度は輝度２である。加えて、例えば、現在実行中のアプリケーションが、アプリケーション特性が高額支払いおよび低額支払いを含む支払いである指紋支払いアプリケーションである場合、特性が高額支払いであるときに、第１の輝度は輝度４であり、特性が低額支払いであるときに、第１の輝度は輝度３である。
【表１】
0006818894.tif 000002
【００４８】
例えば、表１に示すように、現在実行中のアプリケーションがアプリケーション１である場合、アプリケーション１に対応する第１の輝度は輝度１である。ＡＰ１１０は、第１のエリアのための発光ユニットを、輝度１を有する光を放出するように制御する。
【００４９】
従って、本開示は、現在実行中のアプリケーションに基づいて指紋を取り込むための光の輝度を柔軟に調整し、それによって端末装置の性能を改善することができる。加えて、指紋が取り込まれる場合、第１のエリアのみを、光を放出するように制御し、このことにより、端末装置の消費電力を抑えることができる。
【００５０】
一例では、各アプリケーションは、１つのセキュリティレベルに対応する。各セキュリティレベルは、１つの第１の輝度に対応する。アプリケーションｉのセキュリティレベルがアプリケーションｊのセキュリティレベルよりも高い場合、アプリケーションｉに対応する第１の輝度は、アプリケーションｊに対応する第１の輝度よりも高い。
【００５１】
具体的には、アプリケーション、セキュリティレベル、および第１の輝度の対応関係を表２に示す。表２に示すように、異なるアプリケーションに対応するセキュリティレベルは、互いに同じであってもよいし、互いに異なっていてもよいが、異なるセキュリティレベルに対応する第１の輝度は異なる。
【００５２】
輝度が高いほど、光学式指紋センサ１３０によって取り込まれた指紋の鮮明度が高くなるため、アプリケーションのセキュリティレベルが高い場合、指紋の鮮明度が高いことが必要となり、逆もまた同様である。従って、本開示の実施形態では、セキュリティレベルは、第１のエリアの輝度を合理的に制御するために第１の輝度に関連し、それによって端末装置の性能をさらに改善する。
【表２】
0006818894.tif 000003
【００５３】
さらに、アプリケーションに対応するセキュリティレベルは、ユーザによってカスタマイズされてもよい。あるいは、アプリケーションに対応するセキュリティレベルは、ＡＰ１１０によってカスタマイズされてもよい。あるいは、アプリケーションに対応するセキュリティレベルは、アプリケーション特性に基づいてＡＰ１１０によって決定されてもよい。例えば、現在実行中のアプリケーションが、アプリケーション特性がロック解除である指紋ロック解除アプリケーションである場合、ロック解除に必要なセキュリティレベルは比較的低いため、指紋ロック解除アプリケーションに対応するセキュリティレベルをセキュリティレベル１に設定することができる。また、例えば、現在実行中のアプリケーションが、アプリケーション特性が記録である指紋記録アプリケーションである場合、指紋認証の成功率は、指紋記録アプリケーションによって記録された指紋の鮮明度に依存するため、比較的高いセキュリティが要求され、指紋記録アプリケーションに対応するセキュリティレベルをセキュリティレベル２に設定することができる。加えて、例えば、現在実行中のアプリケーションが、アプリケーション特性が高額支払いおよび低額支払いを含む支払いである指紋支払いアプリケーションである場合、金銭のやりとりに関連するため、より高いセキュリティレベルが要求され、アプリケーション特性が高額支払いであるとき、指紋支払いアプリケーションに対するセキュリティレベルはセキュリティレベル４として設定することができ、アプリケーション特性が低額支払いであるとき、指紋支払いアプリケーションに対応するセキュリティレベルはセキュリティレベル３として設定されてもよい。セキュリティレベル１＜セキュリティレベル２＜セキュリティレベル３のようになる。
【００５４】
さらに、セキュリティレベルに対応する第１の輝度は、ユーザによってカスタマイズされてもよい。あるいは、セキュリティレベルに対応する第１の輝度は、ＡＰ１１０によってカスタマイズされてもよい。
【００５５】
例えば、表２に示すように、現在実行中のアプリケーションがアプリケーション１である場合、アプリケーション１に対応するセキュリティレベルはセキュリティレベル１であり、セキュリティレベル１に対応する第１の輝度は輝度１である。ＡＰ１１０は、第１のエリアのための発光ユニットを、輝度１を有する光を放出するように制御することができる。
【００５６】
一例では、現在実行中のアプリケーションが指紋支払いアプリケーションである場合、タッチ画面１２０上に現在表示されているインターフェースは支払いインターフェースである。タッチ画面はまた、第２のエリアを含む。第１のエリアと第２のエリアとは重なり合わない。ＡＰ１１０は、第１のエリアのための発光ユニットを、第１の輝度を有する光を放出するように制御する場合に、第２のエリアのための発光ユニットを停止するようにさらに構成される。
【００５７】
ＡＰ１１０は、支払いが完了した場合に、第２のエリアのための発光ユニットおよび第１のエリアのための発光ユニットを、第３の輝度を有する光を放出するように制御するようにさらに構成される。第３の輝度は、端末装置に現在設定されている表示輝度である。
【００５８】
（指紋取り込みプロセスおよび指紋比較プロセスを含む）指紋支払いプロセスは、一定の時間がかかる。端末装置１００の消費電力を減らすために、ＡＰ１１０は、指紋支払いプロセスの間、第２のエリアを、光を放出しないように制御し、指紋支払いプロセスが完了した後、第１のエリアおよび第２のエリアを、通常輝度を有する光を放出するように制御することができる。
【００５９】
一例では、現在実行中のアプリケーションが指紋支払いアプリケーションである場合、タッチ画面１２０上に現在表示されているインターフェースは支払いインターフェースである。タッチ画面はまた、第２のエリアを含む。第１のエリアと第２のエリアとは重なり合わない。ＡＰ１１０は、第１のエリアのための発光ユニットを、第１の輝度を有する光を放出するように制御する場合に、第２のエリアのための発光ユニットを、第２の輝度を有する光を放出するように制御するようにさらに構成される。第２の輝度は、第１の輝度よりも低い。
【００６０】
第２の輝度が端末装置に現在設定されている表示輝度である場合、指紋取り込みプロセス中に、ＡＰ１１０は第１のエリアの輝度を上げるように制御するだけである。従って、光学式指紋センサ１３０によって鮮明度の高い指紋を取り込むだけでなく、端末装置１００の消費電力を低減することができる。また、第１の輝度が端末装置に現在設定されている表示輝度である場合、指紋取り込みプロセス中に、ＡＰ１１０は第２のエリアの輝度を下げるように制御する。従って、光学式指紋センサ１３０によって鮮明度の高い指紋を取り込み、端末装置１００の消費電力を低減することができるだけでなく、第２のエリアに表示された内容をユーザに明瞭に見せることができる。
【００６１】
さらに、図２に示すように、第２のエリアは、第１のエリアを除いたタッチ画面１２０の残りの部分である。
【００６２】
さらに、第１のエリアは、ユーザに指紋を入力するように促すためのプロンプト情報を表示するように構成される。プロンプト情報は、図２において「指紋支払い」として示されてもよいし、「指紋入力」などであってもよく、このことは実施形態において限定されない。
【００６３】
さらに、第２のエリアは、「ＸＸＸプラットフォーム、支払い方法：ｘｘｘｘｘｘｘ、注文情報：ｘｘｘｘｘ、金額：ｘｘｘｘｘ」として図３に示すことができる、現在の操作に関連する情報を表示するように構成される。
【００６４】
一例では、第１のエリアはＮ個のサブエリアを含み、Ｎは１より大きい整数である。ＡＰ１１０は、Ｎ個のサブエリアに含まれるＭ個のサブエリアのための発光ユニットを、第１の輝度を有する光を放出するように制御するようにさらに構成され、Ｍは正の整数であり、ユーザの指の水平投影がＭ個のサブエリアに位置する。
【００６５】
さらに、ＡＰ１１０は、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを停止するようにさらに構成される。
【００６６】
あるいは、ＡＰ１１０は、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを、第４の輝度を有する光を放出するように制御するようにさらに構成される。第４の輝度は、第１の輝度よりも低い。
【００６７】
さらに、Ｎ個のサブエリアのサイズは同じである。あるいは、Ｎ個のサブエリアのうちの少なくとも２つのサイズは互いに異なる。
【００６８】
さらに、Ｎ個のサブエリアの形状は同じである。あるいは、Ｎ個のサブエリアのうちの少なくとも２つのサブエリアの形状は互いに異なる。
【００６９】
例えば、図４は、本開示の実施形態において提供されるインターフェースを示す概略図である。図４に示すように、第１のエリアに含まれるＮ個のサブエリアの大きさは同じであり、第１のエリアに含まれるＮ個のサブエリアの形状は同じである。第１のエリアは、サブエリアＡ、…、サブエリアＬを含む。ユーザの指の水平投影がサブエリアＢ、サブエリアＣ、サブエリアＦ、およびサブエリアＧ内にある場合、現在実行中のアプリケーションは、光学式指紋センサが鮮明度の高い指紋の取り込みを可能とするために、サブエリアＢ、サブエリアＣ、サブエリアＦ、およびサブエリアＧのための発光ユニットを、第１の輝度を有する光を放出するように制御するだけでよい。他のサブエリア（サブエリアＢ、サブエリアＣ、サブエリアＦ、およびサブエリアＧを除く第１のエリアに含まれる残りのサブエリア）については、これらのサブエリアのための発光ユニットを停止してもよいし、これらのサブエリアの輝度を下げてもよく、これにより、鮮鋭度の高い指紋を取得しながら、端末装置の消費電力を低減することができる。
【００７０】
図５は、本開示の実施形態において提供される、指紋を取り込むための方法を示すフローチャートである。本方法は、端末装置に適用可能である。端末装置は、ＡＰと、光学式指紋センサと、タッチ画面と、を備える。タッチ画面は、第１のエリアを含む。光学式指紋センサは、第１のエリアの下に配置される。本方法は、以下を含む。
【００７１】
ブロック５０１において、第１の輝度は、現在実行中のアプリケーションに基づいて端末装置によって決定され、第１のエリアのための発光ユニットは、第１の輝度を有する光を放出するように端末装置によって制御される。第１の輝度を有する光は、ユーザの指を照らすように構成される。
【００７２】
ブロック５０２において、第１の輝度を有する光が第１のエリアを照らした場合、指紋が端末装置によって取り込まれる。
【００７３】
一例では、タッチ画面は、ＬＣＤ、ＯＬＥＤ画面、およびＬＥＤ表示画面のうちの１つである。
【００７４】
一例では、第１の輝度は、現在実行中のアプリケーションによって送信された指紋取り込み命令が検出された場合に、現在実行中のアプリケーションに基づいて端末装置によって決定される。第１のエリアのための発光ユニットは、第１の輝度を有する光を放出するように端末装置によって制御される。現在実行中のアプリケーションは、指紋ロック解除アプリケーション、指紋支払いアプリケーション、指紋記録アプリケーションなどであり得る。
【００７５】
一例では、第１のエリアの最大サイズは、タッチ画面のサイズと等しくてもよい。第１のエリアの最小サイズは、ユーザが指を入力できるように十分な面積で設定されてもよい。本開示において、第１のエリアのサイズは限定されない。
【００７６】
一例では、第１のエリアは、タッチ画面の左下隅またはタッチ画面の右下隅、またはタッチ画面の右上隅に配置されてもよく、このことは本開示において限定されない。
【００７７】
一例では、第１のエリアの形状は、円形、正方形、楕円形、菱形などであり得るが、このことは本開示において限定されない。
【００７８】
一例では、１つ以上の第１のエリアがあり、このことは本開示において限定されない。
【００７９】
各アプリケーションは、１つの第１の輝度に対応する。アプリケーションと第１の輝度との対応関係を表１に示す。表１に示すように、異なるアプリケーションは、同じ第１の輝度に対応する場合もあるし、異なる第１の輝度に対応する場合もある。
【００８０】
加えて、各アプリケーションに対応する第１の輝度は、ユーザによってカスタマイズされてもよい。あるいは、各アプリケーションに対応する第１の輝度は、アプリケーション特性に基づいてＡＰ１１０によって決定されてもよい。例えば、現在実行中のアプリケーションが、アプリケーション特性がロック解除である指紋ロック解除アプリケーションである場合、第１の輝度は輝度１である。また、例えば、現在実行中のアプリケーションが、アプリケーション特性が記録である指紋記録アプリケーションである場合、第１の輝度は輝度２である。加えて、例えば、現在実行中のアプリケーションが、アプリケーション特性が高額支払いおよび低額支払いを含む支払いである指紋支払いアプリケーションである場合、特性が高額支払いであるときに、第１の輝度は輝度４であり、特性が低額支払いであるときに、第１の輝度は輝度３である。
【００８１】
例えば、表１に示すように、現在実行中のアプリケーションがアプリケーション１である場合、アプリケーション１に対応する第１の輝度は輝度１であり、端末装置は、第１のエリアのための発光ユニットを、輝度１を有する光を放出するように制御する。
【００８２】
従って、本開示は、現在実行中のアプリケーションに基づいて指紋を取り込むための光の輝度を柔軟に調整し、それによって端末装置の性能を改善することができる。加えて、指紋が取り込まれる場合、第１のエリアのみを、光を放出するように制御し、このことにより、端末装置の消費電力を抑えることができる。
【００８３】
一例では、各アプリケーションは、１つのセキュリティレベルに対応する。各セキュリティレベルは、１つの第１の輝度に対応する。アプリケーションｉのセキュリティレベルがアプリケーションｊのセキュリティレベルよりも高い場合、アプリケーションｉに対応する第１の輝度は、アプリケーションｊに対応する第１の輝度よりも高い。
【００８４】
具体的には、アプリケーション、セキュリティレベル、および第１の輝度の対応関係を表２に示す。表２に示すように、異なるアプリケーションに対応するセキュリティレベルは、互いに同じであってもよいし、互いに異なっていてもよいが、異なるセキュリティレベルに対応する第１の輝度は異なる。
【００８５】
輝度が高いほど、光学式指紋センサによって取り込まれた指紋の鮮明度が高くなるため、アプリケーションのセキュリティレベルが高い場合、指紋の鮮明度が高いことが必要となり、逆もまた同様である。従って、本開示の実施形態では、セキュリティレベルは、第１のエリアの輝度を合理的に制御するために第１の輝度に関連し、それによって端末装置の性能をさらに改善する。
【００８６】
さらに、アプリケーションに対応するセキュリティレベルは、ユーザによってカスタマイズされてもよい。あるいは、アプリケーションに対応するセキュリティレベルは、端末装置によってカスタマイズされてもよい。あるいは、アプリケーションに対応するセキュリティレベルは、アプリケーション特性に基づいて端末装置によって決定されてもよい。例えば、現在実行中のアプリケーションが、アプリケーション特性がロック解除である指紋ロック解除アプリケーションである場合、ロック解除に必要なセキュリティレベルは比較的低いため、指紋ロック解除アプリケーションに対応するセキュリティレベルをセキュリティレベル１に設定することができる。また、例えば、現在実行中のアプリケーションが、アプリケーション特性が記録である指紋記録アプリケーションである場合、指紋認証の成功率は、指紋記録アプリケーションによって記録された指紋の鮮明度に依存するため、比較的高いセキュリティが要求され、指紋記録アプリケーションに対応するセキュリティレベルをセキュリティレベル２に設定することができる。加えて、例えば、現在実行中のアプリケーションが、アプリケーション特性が高額支払いおよび低額支払いを含む支払いである指紋支払いアプリケーションである場合、金銭のやりとりに関連するため、より高いセキュリティレベルが要求され、アプリケーション特性が高額支払いであるとき、指紋支払いアプリケーションに対するセキュリティレベルはセキュリティレベル４として設定することができ、アプリケーション特性が低額支払いであるとき、指紋支払いアプリケーションに対応するセキュリティレベルはセキュリティレベル３として設定されてもよい。セキュリティレベル１＜セキュリティレベル２＜セキュリティレベル３のようになる。
【００８７】
さらに、セキュリティレベルに対応する第１の輝度は、ユーザによってカスタマイズされてもよい。あるいは、セキュリティレベルに対応する第１の輝度は、端末装置によってカスタマイズされてもよい。
【００８８】
例えば、表２に示すように、現在実行中のアプリケーションがアプリケーション１である場合、アプリケーション１に対応するセキュリティレベルはセキュリティレベル１であり、セキュリティレベル１に対応する第１の輝度は第１の輝度１である。端末装置は、第１のエリアのための発光ユニットを、輝度１を有する光を放出するように制御することができる。
【００８９】
一例では、現在実行中のアプリケーションが指紋支払いアプリケーションである場合、タッチ画面上に現在表示されているインターフェースは支払いインターフェースである。タッチ画面はまた、第２のエリアを含む。第１のエリアと第２のエリアとは重なり合わない。本方法は、第１のエリアのための発光ユニットを、第１の輝度を有する光を放出するように制御する場合に、第２のエリアのための発光ユニットを、第２の輝度を有する光を放出するように制御するステップをさらに含む。第２の輝度は、第１の輝度よりも低い。
【００９０】
第２の輝度が端末装置に現在設定されている表示輝度である場合、指紋取り込みプロセス中に、端末装置は第１のエリアの輝度を上げるように制御するだけである。従って、光学式指紋センサによって鮮明度の高い指紋を取り込むだけでなく、端末装置の消費電力を低減することができる。また、第１の輝度が端末装置に現在設定されている表示輝度である場合、指紋取り込みプロセス中に、端末装置は第２のエリアの輝度を下げるように制御する。従って、光学式指紋センサによって鮮明度の高い指紋を取り込み、端末装置の消費電力を低減することができるだけでなく、第２のエリアに表示された内容をユーザに明瞭に見せることができる。
【００９１】
さらに、図２に示すように、第２のエリアは、第１のエリアを除いたタッチ画面１２０の残りの部分である。
【００９２】
さらに、第１のエリアは、ユーザに指紋を入力するように促すためのプロンプト情報を表示するように構成される。プロンプト情報は、図２において「指紋支払い」として示されてもよいし、「指紋入力」などであってもよく、このことは実施形態において限定されない。
【００９３】
さらに、第２のエリアは、「ＸＸＸプラットフォーム、支払い方法：ｘｘｘｘｘｘｘ、注文情報：ｘｘｘｘｘ、金額：ｘｘｘｘｘ」として図３に示すことができる、現在の操作に関連する情報を表示するように構成される。
【００９４】
一例では、現在実行中のアプリケーションが指紋支払いアプリケーションであり、タッチ画面上に現在表示されているインターフェースは支払いインターフェースであり、タッチ画面は、第２のエリアをさらに含む。第１のエリアと第２のエリアとは重なり合わない。本方法は、第１のエリアのための発光ユニットを、第１の輝度を有する光を放出するように制御する場合に、第２のエリアのための発光ユニットを停止するステップをさらに含む。
【００９５】
さらに、本方法は、以下を含む。
【００９６】
端末装置は、指紋支払いプロセスが完了した後に、第２のエリアのための発光ユニットおよび第１のエリアのための発光ユニットを、第３の輝度を有する光を放出するように制御する。第３の輝度は、端末装置に現在設定されている表示輝度である。
【００９７】
（指紋取り込みプロセスおよび指紋比較プロセスを含む）指紋支払いプロセスは、一定の時間がかかる。端末装置の消費電力を減らすために、端末装置は、指紋支払いプロセスの間、第２のエリアを、光を放出しないように制御し、指紋支払いプロセスが完了した後、第１のエリアおよび第２のエリアを、通常輝度を有する光を放出するように制御することができる。
【００９８】
一例では、Ｎは１よりも大きい整数であり、第１のエリアのための発光ユニットを、第１の輝度を有する光を放出するように制御するステップの詳細な実装が、Ｎ個のサブエリアに含まれるＭ個のサブエリアのための発光ユニットを、第１の輝度を有する光を放出するように制御するステップを含み、Ｍは正の整数である。ユーザの指の水平投影は、Ｍ個のサブエリアに位置する。
【００９９】
さらに、本方法はまた、以下を含む。
【０１００】
端末装置は、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを停止するようにさらに構成される。
【０１０１】
あるいは、さらに、本方法はまた、以下を含む。
【０１０２】
端末装置は、Ｎ個のサブエリアに含まれるＭ個のサブエリアのための発光ユニットを、第１の輝度を有する光を放出するように制御する場合に、Ｍ個のサブエリア以外のＮ個のサブエリアに含まれる他のサブエリアのための発光ユニットを、第４の輝度を有する光を放出するように制御する。第４の輝度は、第１の輝度よりも低い。
【０１０３】
さらに、Ｎ個のサブエリアのサイズは同じである。あるいは、Ｎ個のサブエリアのうちの少なくとも２つのサイズは互いに異なる。
【０１０４】
さらに、Ｎ個のサブエリアの形状は同じである。あるいは、Ｎ個のサブエリアのうちの少なくとも２つのサブエリアの形状は互いに異なる。
【０１０５】
例えば、図４は、本開示の実施形態において提供されるインターフェースを示す概略図である。図４に示すように、第１のエリアに含まれるＮ個のサブエリアの大きさは同じであり、第１のエリアに含まれるＮ個のサブエリアの形状は同じである。第１のエリアは、サブエリアＡ、…、サブエリアＬを含む。ユーザの指の水平投影がサブエリアＢ、サブエリアＣ、サブエリアＦ、およびサブエリアＧ内にある場合、現在実行中のアプリケーションは、光学式指紋センサが鮮明度の高い指紋の取り込みを可能とするために、サブエリアＢ、サブエリアＣ、サブエリアＦ、およびサブエリアＧのための発光ユニットを、第１の輝度を有する光を放出するように制御するだけでよい。他のサブエリア（サブエリアＢ、サブエリアＣ、サブエリアＦ、およびサブエリアＧを除く第１のエリアに含まれる残りのサブエリア）については、これらのサブエリアのための発光ユニットを停止してもよいし、これらのサブエリアの輝度を下げてもよく、これにより、鮮鋭度の高い指紋を取得しながら、端末装置の消費電力を低減することができる。
【０１０６】
図６は、本開示の実施形態において提供される端末装置６００を示す概略図である。端末装置６００は、（ＡＰを含む）少なくとも１つのプロセッサと、光学式指紋センサと、タッチ画面と、少なくとも１つのメモリと、１つ以上のプログラムと、を備える。タッチ画面は、第１のエリアを含む。光学式指紋センサは、第１のエリアの下に配置される。
【０１０７】
１つ以上のプログラムはメモリに記憶され、ＡＰによって実行されるように構成される。１つ以上のプログラムは、以下を実行するための命令を含む。
【０１０８】
第１の輝度は、現在実行中のアプリケーションに基づいて決定され、第１のエリアのための発光ユニットは、第１の輝度を有する光を放出するように制御される。第１の輝度を有する光は、ユーザの指を照らすように構成される。
【０１０９】
指紋は、第１の輝度を有する光が第１のエリアを照らした場合に取り込まれる。
【０１１０】
一例では、各アプリケーションは、１つのセキュリティレベルに対応する。各セキュリティレベルは、１つの第１の輝度に対応する。アプリケーションｉのセキュリティレベルがアプリケーションｊのセキュリティレベルよりも高い場合、アプリケーションｉに対応する第１の輝度は、アプリケーションｊに対応する第１の輝度よりも高い。
【０１１１】
一例では、現在実行中のアプリケーションが指紋支払いアプリケーションである場合、タッチ画面上に現在表示されているインターフェースは支払いインターフェースである。タッチ画面はまた、第２のエリアを含む。第１のエリアと第２のエリアとは重なり合わない。１つ以上のプログラムは、以下を実行するための命令をさらに含む。
【０１１２】
第１のエリアのための発光ユニットが第１の輝度を有する光を放出するように制御される場合に、第２のエリアのための発光ユニットが第２の輝度を有する光を放出するように制御される。第２の輝度は、第１の輝度よりも低い。
【０１１３】
一例では、現在実行中のアプリケーションが指紋支払いアプリケーションである場合、タッチ画面上に現在表示されているインターフェースは支払いインターフェースである。タッチ画面は、第２のエリアをさらに含む。第１のエリアと第２のエリアとは重なり合わない。１つ以上のプログラムは、以下を実行するための命令をさらに含む。
【０１１４】
第１のエリアのための発光ユニットが第１の輝度を有する光を放出するように制御される場合に、第２のエリアの発光ユニットが停止される。
【０１１５】
一例では、第１のエリアはＮ個のサブエリアを含み、Ｎは１より大きい整数である。１つ以上のプログラムは、第１のエリアのための発光ユニットが第１の輝度を有する光を放出するように制御される場合に、以下を実行するための命令をさらに含む。Ｎ個のサブエリアに含まれるＭ個のサブエリアのための発光ユニットは、第１の輝度を有する光を放出するように制御され、Ｍは正の整数である。ユーザの指の水平投影は、Ｍ個のサブエリアに位置する。
【０１１６】
従って、本開示の実施形態では、現在実行中のアプリケーションに基づいて指紋を取り込むための光の輝度が柔軟に調整され、それによって端末装置の性能を改善することができる。加えて、指紋が取り込まれる場合、端末装置の消費電力を抑えるために、第１のエリアのみを、光を放出するように制御する。
【０１１７】
図７は、本開示の実施形態において提供される、指紋を取り込むための装置７００を示すブロック図である。指紋を取り込むための装置７００は、端末装置に適用可能であり得る。端末装置は、ＡＰと、光学式指紋センサと、タッチ画面と、を備える。タッチ画面は、第１のエリアを含む。光学式指紋センサは、第１のエリアの下に配置される。指紋を取り込むための装置７００は、処理モジュール７０１と、取り込みモジュール７０２と、を備える。
【０１１８】
処理モジュール７０１は、現在実行中のアプリケーションに基づいて第１の輝度を決定し、第１のエリアのための発光ユニットを、第１の輝度を有する光を放出するように制御する、ように構成される。第１の輝度を有する光は、ユーザの指を照らすように構成される。
【０１１９】
取り込みモジュール７０２は、第１の輝度を有する光が第１のエリアを照らした場合に指紋を取り込むように構成される。
【０１２０】
一例では、各アプリケーションは、１つのセキュリティレベルに対応する。各セキュリティレベルは、１つの第１の輝度に対応する。アプリケーションｉのセキュリティレベルがアプリケーションｊのセキュリティレベルよりも高い場合、アプリケーションｉに対応する第１の輝度は、アプリケーションｊに対応する第１の輝度よりも高い。
【０１２１】
一例では、現在実行中のアプリケーションが指紋支払いアプリケーションである場合、タッチ画面上に現在表示されているインターフェースは支払いインターフェースである。タッチ画面はまた、第２のエリアを含む。第１のエリアと第２のエリアとは重なり合わない。処理モジュール７０１は、第１のエリアのための発光ユニットが第１の輝度を有する光を放出するように制御される場合に、第２のエリアのための発光ユニットを、第２の輝度を有する光を放出するように制御するようにさらに構成される。第２の輝度は、第１の輝度よりも低い。
【０１２２】
一例では、現在実行中のアプリケーションが指紋支払いアプリケーションである場合、タッチ画面上に現在表示されているインターフェースは支払いインターフェースである。タッチ画面はまた、第２のエリアを含む。第１のエリアと第２のエリアとは重なり合わない。処理モジュール７０１は、第１のエリアのための発光ユニットが第１の輝度を有する光を放出するように制御される場合に、第２のエリアのための発光ユニットを停止するようにさらに構成される。
【０１２３】
一例では、第１のエリアはＮ個のサブエリアを含み、Ｎは１より大きい整数である。処理モジュール７０１は、Ｎ個のサブエリアに含まれるＭ個のサブエリアのための発光ユニットを、第１の輝度を有する光を放出するように制御するようにさらに構成され、Ｍは正の整数であり、ユーザの指の水平投影がＭ個のサブエリアに位置する。
【０１２４】
上記のモジュール（すなわち、処理モジュール７０１および取り込みモジュール７０２）は、上記の方法の対応する動作を実行するように構成されていることに留意されたい。
【０１２５】
実施形態では、指紋を取り込むための装置７００は、モジュールとして実施される。本明細書で言及される「モジュール」は、特定の特定用途向け集積回路（ＡＳＩＣ）、１つ以上のソフトウェアまたはファームウェアプログラムを実行するように構成されたプロセッサ、メモリ、集積論理回路、および／または上記の機能を提供できる他の構成要素であり得る。さらに、上記の処理モジュール７０１および取り込みモジュール７０２は、図６に示す端末装置のＡＰによって実現されてもよい。
【０１２６】
本開示の実施形態は、図８に示すような別の端末装置を提供する。図を簡略化するために、本開示の実施形態に関連する部分が単に図示されている。開示されていない詳細については、本開示の方法実施形態を参照することができる。端末装置は、電話、タブレットコンピュータ、携帯情報端末（ＰＤＡ）、販売時点情報管理（ＰＯＳ）、車載コンピュータ、ウェアラブル装置、または他の任意の端末装置を含み得る。説明のために電話機を例に取る。
【０１２７】
図８は、本開示の実施形態において提供される端末装置に関連する電話機の一部の構成を示すブロック図である。図８を参照すると、電話機は、無線周波数（ＲＦ）回路９１０と、メモリ９２０と、入力ユニット９３０と、表示ユニット９４０と、センサ９５０と、音声回路９６０と、ワイヤレスフィデリティ（Ｗｉ−Ｆｉ）モジュール９７０と、プロセッサ９８０と、電源９９０と、を備える。図８に示す構成は電話機の構成を限定しないことが当業者には理解されよう。電話機は、図８に示されているものより少ないもしくは多い構成要素、またはそれらの組み合わせを含むことができ、あるいは構成要素の異なる構成を有することができる。
【０１２８】
電話機の各構成要素については、図８と併せて詳細に説明する。
【０１２９】
ＲＦ回路９１０は、メッセージを受信または送信するように構成されてもよい。一般に、ＲＦ回路９１０は、アンテナ、少なくとも１つの増幅器、送受信機、カプラ、低雑音増幅器（ＬＮＡ）、ダイプレクサなどを含むがこれらに限定されない。さらに、ＲＦ回路９１０は、無線通信およびネットワークを介して他の装置と通信するようにさらに構成され得る。上記無線通信は、汎欧州デジタル移動電話方式（ＧＳＭ）、汎用パケット無線サービス（ＧＰＲＳ）、符号分割多元接続（ＣＤＭＡ）、広域符号分割多元接続（ＷＣＤＭＡ）、ロングタームエボリューション（ＬＴＥ）、電子メール、ショートメッセージングサービス（ＳＭＳ）などを含むがこれらに限定されない、通信規格またはプロトコルのいずれか１つを採用できる。
【０１３０】
メモリ９２０は、ソフトウェアプログラムまたはモジュールを記憶するように構成されてもよい。プロセッサ９８０は、メモリ９２０に記憶されているソフトウェアプログラムおよびモジュールを実行することによって、電話機の様々な機能アプリケーションおよびデータ処理を実行するように構成される。メモリ９２０は、主にプログラム記憶領域とデータ記憶領域とを含む。プログラム記憶領域は、オペレーションシステム、少なくとも１つの機能要求アプリケーションなどを記憶することができる。データ記憶領域は、電話機を用いて生成されたデータ（Ｎ個の光源に対応するＮ個の周波数、アプリケーションｉの重要度による優先度など）などを記憶することができる。加えて、メモリ９２０は、高速ランダムアクセスメモリを含むことができ、少なくとも１つのディスクメモリ、フラッシュメモリ、または他の揮発性ソリッドステートメモリなどの不揮発性メモリを含むことができる。
【０１３１】
入力ユニット９３０は、入力された数字または文字情報を受け、電話機のユーザ設定または機能制御に関連するキー信号入力を生成するように構成され得る。具体的には、入力ユニット９３０は、指紋センサ９３１と、他の入力装置９３２と、を備える。指紋センサ９３１は、その上で指紋データを取り込むように構成され得る。入力ユニット９３０は、指紋センサ９３１に加えて、他の入力装置９３２をさらに備えてもよい。具体的には、他の入力装置９３２は、タッチ画面、物理キーボード、機能キー（音量調整キー、スイッチキーなど）、トラックボール、マウス、操作レバーのうちの１つ以上を含んでもよいが、これらに限定されない。
【０１３２】
表示ユニット９４０は、ユーザによって入力された情報、またはユーザに提供される情報、または電話機の各種メニューを表示するように構成され得る。表示ユニット９４０は、表示画面９４１を備えてもよい。あるいは、表示画面９４１は、液晶ディスプレイ（ＬＣＤ）、有機発光ダイオード（ＯＬＥＤ）などとして構成されていてもよい。図８に示す電話機の入力機能および出力機能を実現するための、指紋センサ９３１と表示画面９４１とは２つの別々の構成要素であるが、特定の実施形態では、指紋センサ９３１と表示画面９４１とを一体化して、電話機の入力機能および出力機能を実現することができる。
【０１３３】
電話機は、光学センサ、モーションセンサ、および他のセンサなどの少なくとも１つのセンサ９５０をさらに備え得る。具体的には、光学センサは、周囲光センサと近接センサとを備え得る。周囲光センサは、周囲光の輝度に基づいて表示画面９４１の輝度を調整することができる。近接センサは、電話機がユーザの耳の近くに移動した場合に、表示画面９４１および／またはバックライトユニットを閉じることができる。モーションセンサとして、加速度センサは、様々な方向（一般に３軸）の加速度の値を測定し、電話機が静止している場合の重力の値および方向を測定し、電話機のジェスチャアプリケーション（画面の水平と垂直との切り替え、関連するゲーム、磁力計の姿勢較正など）を識別し、振動に基づいて関連機能（歩数計、打診など）を識別するなどするように構成され得る。ジャイロスコープ、気圧計、湿度計、温度計、赤外線センサなどの他の構成可能なセンサについては、本開示の実施形態において詳述されない。
【０１３４】
音声回路９６０、ラウドスピーカ９６１、およびマイクロフォン９６２は、ユーザと電話機との間の音声インターフェースを提供し得る。音声回路９６０は、受信した音声データから変換した電気信号をラウドスピーカ９６１に送信し得る。ラウドスピーカ９６１は、電気信号を音声信号に変換し、音声信号を出力する。別の態様では、マイクロフォン９６２は、集音した音声信号を電気信号に変換することができる。音声回路９６０は、電気信号を受信して音声データに変換し、音声データをプロセッサ９８０に出力して処理させる。プロセッサ９８０によって処理された音声データは、ＲＦ回路９１０を介して例えば別の電話機に送信されてもよいし、後の処理のためにメモリ９２０に記憶されてもよい。
【０１３５】
Ｗｉ−Ｆｉは、近距離無線通信技術である。電話機は、ユーザが、Ｗｉ−Ｆｉモジュール９７０を介して電子メールを受信または送信すること、ウェブページを検索すること、ストリーム媒体にアクセスすることを助けることができる。Ｗｉ−Ｆｉモジュール９７０は、無線ブロードバンドインターネットアクセスを提供する。図８にはＷｉ−Ｆｉモジュール９７０が示されているが、Ｗｉ−Ｆｉモジュール９７０は電話機に必要ではないため、本開示の範囲を変更することなく、要求に基づいて省略されてもよいことが理解されよう。
【０１３６】
プロセッサ９８０は、電話機の様々な部分を接続するために様々なインターフェースおよび配線を利用する、電話機の制御の中心である。メモリ９２０に記憶されているソフトウェアプログラムおよび／またはモジュールを実行（ｒｕｎｎｉｎｇ）または実行（ｅｘｅｃｕｔｉｎｇ）することによって、そしてメモリ９２０に記憶されているデータを呼び出すことによって、様々な機能およびデータ処理機能を実行することができ、よって、電話機を一体的に監視することができる。あるいは、プロセッサ９８０は、１つ以上の処理ユニットを備えてもよい。あるいは、プロセッサ９８０は、アプリケーションプロセッサまたはモデムプロセッサと一体化されてもよい。アプリケーションプロセッサは、主にオペレーションシステム、ユーザインターフェース、およびアプリケーションを処理する。モデムプロセッサは、主に無線通信を処理する。上記のモデムコントローラは、プロセッサ９８０に一体化されなくてもよいことが理解されよう。
【０１３７】
電話機は、電話機の様々な部分に電力を供給するための電源９９０（電池など）をさらに備え得る。あるいは、電源は、電力管理システムを介してプロセッサ９８０に論理的に接続されてもよく、それによって、電力管理システムを介して充電、放電、および電力消費を管理することができる。
【０１３８】
図示されていないが、電話機は、カメラ、Ｂｌｕｅｔｏｏｔｈモジュールなどをさらに備えることができ、これらは本明細書では詳述しない。
【０１３９】
図５に示す実施形態では、このフローチャートは、図８に示す電話機の構成に基づいて実行することができる。
【０１４０】
図７に示す実施形態では、モジュールの機能は、図８に示す電話機の構成に基づいて実現することができる。
【０１４１】
本開示の実施形態は、コンピュータ記憶媒体をさらに提供する。コンピュータ記憶媒体には、電気的データを交換するためのコンピュータストレージが記憶されている。コンピュータプログラムは、本開示の実施形態のうちのいずれか１つにおいて説明される指紋を取り込むための方法の一部または全部をコンピュータに実行させるように構成される。
【０１４２】
本開示の実施形態は、コンピュータプログラム製品をさらに提供する。コンピュータプログラム製品は、コンピュータプログラムを記憶する非一時的コンピュータ可読記憶媒体を含む。コンピュータプログラムは、本開示の実施形態のいずれか１つで説明された指紋を取り込むための方法の一部または全部をコンピュータに実行させるように実行可能である。コンピュータプログラム製品は、ソフトウェアインストールパッケージであり得る。
【０１４３】
上記の方法の実施形態については、簡単に説明するために、方法実施形態のすべてが一連の動作の組み合わせとして説明されていることが理解されよう。しかしながら、当業者は、一部のブロックは本開示に従って他のシーケンスでまたは同時に実行され得るため、本開示が説明された動作順序に限定されないことを理解するはずである。第２に、当業者はまた、本明細書で説明された実施形態が好ましい実施形態に属し、そして含まれる動作およびモジュールが本開示によって必ずしも必要とされるものではないことを知っているはずである。
【０１４４】
上記の実施形態では、実施形態の説明に対して異なる強調がなされている。実施形態において詳細に説明されていないものについては、他の実施形態における関連する説明を参照することができる。
【０１４５】
本出願において提供される実施形態において、開示された装置は他の仕方で実施されてもよいことが理解されよう。例えば、上記の装置実施形態は単なる例示である。例えば、ユニット分割は単なる論理的機能分割であり、実際の実施では他の分割でもよい。例えば、複数のユニットまたは構成要素が組み合わされてもよいし、別のシステムに一体化されてもよく、あるいは一部の特徴が無視されても実行されなくてもよい。加えて、図示または説明された相互結合または直接結合または通信接続は、インターフェース、装置、またはユニットを介した間接結合または通信接続であり得、電気的結合または他の形態であり得る。
【０１４６】
別々の構成要素として説明されたユニットは、物理的に分離されてもされなくてもよい。ユニットとして表示される構成要素は、物理的なユニットでもそうでなくてもよい、つまり、それらは同じ位置に配置されてもよいし、複数のネットワークユニットに分散されてもよい。本開示の実施形態における解決策の目的を達成するための実際の必要性に基づいて、ユニットの一部または全部を選択することができる。
【０１４７】
加えて、本開示の各実施形態における各機能ユニットは、１つの処理ユニットに一体化されてもよいし、各ユニットは、物理的に単独で存在していてもよいし、２つ以上のユニットが１つのユニットに一体化されてもよい。上記の一体化されたユニットは、ハードウェアの形態またはソフトウェア機能ユニットの形態で実施することができる。
【０１４８】
一体化されたユニットは、ソフトウェア機能ユニットの形態で実施され、独立した製品として販売または使用される場合、コンピュータ可読メモリに記憶することができる。この理解に基づいて、本質的に本開示の技術的解決策は、または先行技術に貢献している部分は、または技術的解決策の全部または一部は、本開示の実施形態において提供される方法のブロックの全部または一部を実行するために、コンピュータ装置（パーソナルコンピュータ、サーバ、ネットワーク装置などであり得る）を作動させるためのいくつかの命令を含む、メモリに記憶されたソフトウェア製品の形で実施することができる。上記のメモリは、ＵＳＢフラッシュディスク、読み取り専用メモリ（ＲＯＭ）、ランダムアクセスメモリ（ＲＡＭ）、リムーバブルハードディスク、磁気ディスク、光ディスクなどの、プログラムコードを記憶することができる様々な媒体を含む。
【０１４９】
当業者は、実施形態の方法におけるブロックの全部または一部が、関連するハードウェアに命令するプログラムによって実施され得ることを理解するはずである。プログラムは、コンピュータ可読メモリに記憶されてもよい。コンピュータ可読メモリは、フラッシュドライブ、読み取り専用メモリ（ＲＯＭ）、ランダムアクセスメモリ（ＲＡＭ）、磁気ディスク、光ディスクなどを含み得る。
【０１５０】
以上、本開示の実施形態を詳細に説明した。本明細書では、本開示の原理および実施方法を説明するために特定の例が使用されている。上記の実施形態の説明は、本開示の方法および重要なアイデアを理解するのを助けるために用いられているにすぎない。一方、当業者であれば、本開示のアイデアに従って詳細な説明および適用範囲に修正を加えることができる。上記の説明に鑑みて、本明細書は本開示を限定するものとして解釈されるべきではない。
【図１】
0006818894.tif 000004
【図２】
0006818894.tif 000005
【図３】
0006818894.tif 000006
【図４】
0006818894.tif 000007
【図５】
0006818894.tif 000008
【図６】
0006818894.tif 000009
【図７】
0006818894.tif 000010
【図８】
0006818894.tif 000011